(57)【特許請求の範囲】
【請求項１】
圧延軸線を放射状に囲繞する少なくとも３つのロールを有し、
これらロールのうち各々が、
１つの別個の入力駆動機構を備えており、且つ、それぞれ１つの、２つの部分軸に分割されたロール軸、並びにロールの両側に設けられた玉軸受によって、回転可能に且つ半径方向に調節可能にロールスタンドハウジング内に支承されており、
その際、上記玉軸受が、偏心ブッシュ（１４，１５）内に設けられており、
これら偏心ブッシュが回転可能にロールスタンドハウジング（２）の軸受穿孔内に設けられており、
且つこれら偏心ブッシュの回転位置が調節装置（１７）によって無段階に変化可能であり且つ保持可能であり、且つ、
これら偏心ブッシュの内の、ロール（３）の両側に設けられた２つの偏心ブッシュ（１４，１５）のそれぞれの偏心ブッシュが、ロール（３）を取り囲むあぶみ状結合部材（２２）によって、回転不能に且つ間隔を保持するように結合されている様式の、金属の管、棒あるいは線材を圧延するための圧延ライン用ロールスタンドにおいて、
ロールスタンドハウジング（２）は、一体で且つ分割されずに構成されており、且つ、
上記あぶみ状結合部材（２２）がこれら偏心ブッシュ（１４，１５）を取り外し可能に互いに結合していることを特徴とするロールスタンド。
【請求項２】
それぞれのロール軸（７）の少なくとも１つの偏心ブッシュ（１４，１５）は、円錐歯車形の環状歯あるいはセグメント歯車（１６）を備えており、この環状歯あるいはセグメント歯車によって、この偏心ブッシュが、隣接するロール軸（７）の他の偏心ブッシュ（１４，１５）の相応する環状歯あるいはセグメント歯車（１６）に、直接に係合の状態にある様式の、請求項１に記載のロールスタンドにおいて、
２つの異なるロール軸（７）の２つの隣接する偏心ブッシュ（１４，１５）が、円錐歯車形の環状歯およびセグメント歯車（１６）を備えず、互いの間で隙間を有していることを特徴とするロールスタンド。
【請求項３】
それぞれのロール（３）が、両方の部分軸（８，９）の、２つの互いに向けられた端面の間に、強固にしかしながら解離可能に挟み込まれていることを特徴とする請求項１または２に記載のロールスタンド。
【請求項４】
部分軸（８，９）の端面およびロール（３）の端面が互いに相応する突出部および凹部を備え、これら突出部および凹部が形状的に嵌合していることを特徴とする請求項３に記載のロールスタンド。
【請求項５】
部分軸（８，９）の互いに向けられた端面は、外側に存在する入力駆動機構（５）とロール（３）の間に設けられたロールスタンドハウジング（２）の軸受穿孔よりも、より小さい直径を備えていることを特徴とする請求項３または４に記載のロールスタンド。
【請求項６】
ロールスタンドハウジング（２）のそれぞれの軸受穿孔が、偏心ブッシュ（１４，１５）を収容するために、外側に存在する入力駆動機構（５）からロールスタンドハウジング（２）の内部に至るまで、このロールスタンドハウジングの前方に存在する軸受穿孔よりも徐々に小さくなるように、あるいは同等の大きさに寸法が設定されていることを特徴とする請求項１から５のいずれか一つに記載のロールスタンド。
【請求項７】
調節装置（１７）はロールスタンドハウジング（２）の前面に設けられており、且つ円錐歯車（１９）を備えており、この円錐歯車が偏心ブッシュ（１４，１５）の円錐歯車形の環状歯あるいはセグメント歯車（２０）に係合していることを特徴とする請求項１から６のいずれか一つに記載のロールスタンド。
【発明の詳細な説明】
【０００１】
【発明の属する技術分野】
本発明は、圧延軸線を放射状に囲繞する少なくとも３つのロールを有し、
これらロールのうち各々が、
１つの別個の入力駆動機構を備えており、且つ、それぞれ１つの、２つの部分軸に分割されたロール軸、並びにロールの両側に設けられた玉軸受によって、回転可能に且つ半径方向に調節可能にロールスタンドハウジング内に支承されており、
その際、上記玉軸受が、偏心ブッシュ内に設けられており、
これら偏心ブッシュが回転可能にロールスタンドハウジングの軸受穿孔内に設けられており、
且つこれら偏心ブッシュの回転位置が調節装置によって無段階に変化可能であり且つ保持可能であり、且つ、
これら偏心ブッシュの内の、ロールの両側に設けられた２つの偏心ブッシュのそれぞれの偏心ブッシュが、ロールを取り囲むあぶみ状結合部材によって、回転不能に且つ間隔を保持するように結合されている様式の、金属の管、棒あるいは線材を圧延するための圧延ライン用ロールスタンドに関する。
【０００２】
【従来の技術】
このようなロールスタンドは、既に国際出願公開第９８／０６５１５号明細書によって公知である。そこでは、ロールがチョック内に支承されており、これらロールはこれらチョックと共にロールスタンドハウジング内で圧延軸線に対して半径方向に調節される。半径方向における、チョック、従ってロールの調節および保持のための装置は、ロールスタンドハウジングを囲繞するロールスタンド枠組に設けられている。これらロールを駆動するために設けられた駆動ユニットは、ロールスタンド枠組の外側に存在している。
【０００３】
このようなロールスタンドは、その外側寸法が比較的に大きく、且つこのことから全圧延ラインのための著しいスペースの入用を伴うという欠点を有している。特に前記のことは、チョックの半径方向での調節および保持のためのロールスタンドの諸装置の配設、並びに構成に問題が存在する。これら装置は、半径方向に多くの場所を必要とする。そのとき、まさに圧延材が圧延されない場合に、これら半径方向の調節のための装置とチョック部分間に遊びは生じないようにするために、更に半径方向の調節のための装置とチョック自体の間の予張力を形成するための手段としてのこの場所が問題となる。従って、これらの装置およびロールスタンドハウジングを担持するロールスタンド枠組のために、同様に特に大きな外側の寸法が必要である。これらロールスタンド枠組とロールスタンドハウジングは、公知の構造様式の場合、確かに別個の構造部材だが、これらは機能的に１つのユニット、およびただ共通に半径方向に調節可能なロールを有する完全な、しかも特に大きいロールスタンドだけを形成する。これらロールのための駆動ユニットがロールスタンド枠組の外側に設けられているので、圧延軸線からの入力駆動機構のかなりの距離が、従って半径方向における圧延ラインの著しい寸法が必要である。しかし軸線方向においても、即ち圧延軸線方向においても、公知のロールスタンドは、大きな幅を有する。何故ならば、これらチョックが、側方でロールスタンドハウジングと並んで設けられている旋回ボルトによって保持されるからである。このことから、ロールスタンドの相互の大きな間隔、従ってロールによって形成されるカリバー開口の相互の大きな間隔は形成され、このことは、使用不能な、何故なら寸法通りでない圧延材の端部の長さ、即ち生産のクロップ割合が、相応してより大きくなるという結果を招く。
【０００４】
更に製造費用は、公知のロールスタンドの場合に特に高い。何故ならば、半径方向での調節のためにチョック並びに諸装置を使用することのために、チョックの案内および保持が多数の部品を製作および組付けされねばならないからである。
【０００５】
また、多数の部品は、公知のロールスタンドが、圧延の際に生じる力にあまりに撓みすぎる不安定な構造を形成するという結果を招く。従って、この公知のロールスタンドは、圧延の際に生じる力による現今一般的な高荷重のもとで、ロールを必要な方法において常に信頼性高く、且つ十分に精確にこれらロールの配置された位置で保持すること、従って要求される圧延材のきつい許容差を維持することができない。ロールに作用する力に対するこの公知の構造様式の撓みやすさは、チョックが、単に旋回ボルトによって保持されているにすぎないことに特に起因する。更に、これらの力が多数の部品を経て、従って他の道程を経由して導かれ、このことは、大きな弾性的な変形を生じる。そのうえ、ロールの精確な調節は、チョックの半径方向での調節のために直線状に移動する装置と、円軌道上を旋回可能なチョックの間の機能面の領域において起こるであろう磨耗現象によって損なわれる。何故ならば、特にこの機能面が、取り外されたロールスタンドハウジングの場合に著しい汚染の危険に一時的に曝されるからである。
【０００６】
公知のロールスタンドの他の基本的な欠点は、この公知のロールスタンドの場合、ロールによって形成されるカリバー開口の直径が、ロールスタンド調節作業所において調節されず、且つそこではまた測定され得ないことにある。このことは、このロールスタンド調節作業所において、チョックおよびその際これらロールが、それぞれ任意の位置をロールスタンドハウジング内に占め、且つこれらの位置を常に変化させることに存在する。即ち、このロールスタンド調節作業所において、これらチョックおよびロールは、ロールスタンドハウジング内において確かに半径方向に案内されているが、しかしどの位置にも固持されない。そのために、そこではこれらチョックおよびロールの半径方向の調節および保持のための装置は、設けられていない。既に述べたように、これらの装置は、圧延ラインと強固に結合されているロールスタンド枠組に設けられており、そのためにこれら装置が、ロールスタンドハウジングとの協働でロールスタンド調節作業所内へと移送されない。このロールスタンドハウジングが、ロールスタンド枠組、従って圧延ライン内へと再び押込まれており、且つこれら半径方向の調節および保持のための装置が有効になって始めて、これらチョックおよびロールは、圧延軸線に対して所定の調節可能な位置を占める。しかしまたその場合に、これらロールの位置、従ってカリバー開口の直径は、大抵のロールスタンドの場合に測定され得ない。何故ならば、それらロールスタンドのロールスタンドハウジングは、ロールスタンド枠組内で、従って圧延ライン内において密に相前後しており、従ってただ、圧延ラインの最初および最後のロールスタンドのカリバー開口に到達でき、ただそこで測定できるだけだからである。たとえロールスタンド調節作業所において特別の装置によってカリバー開口の同一の直径にロールを調節できたとしても、並びにこの直径がこれらチョックおよびロールの半径方向の調節および保持のための装置によって圧延ラインにおいて調節されたとしても、付加的に更に、ロールスタンドハウジングの中間位置が、一方では作業場においてこの装置に対して、並びに他方では圧延ラインにおけるチョックの半径方向の調節および保持のための装置に対して極めて精確に同一でない場合、従って上記のそれら調節は、なお十分ではない。それぞれの誤差は、カリバー開口の同じに維持された直径の場合でさえも、ロールの軸線方向の誤った状態に、従って必然的に圧延の欠陥に導く。
【０００７】
【発明が解決しようとする課題】
そこで、本発明の根底をなす課題は、金属の管、棒および線材を圧延するための圧延ライン用ロールスタンドを提供することであり、このロールスタンドに前記の欠点が無く、むしろこのロールスタンドが可能な限り少ない調整および相対的に僅かの製造費用でもって安定性のある、しかしそれにもかかわらず半径方向に調節可能のロールの支承部を可能にする上記ロールスタンドを提供することである。
【０００８】
【課題を解決するための手段】
この課題は本発明に従い、ロールスタンドハウジングが、一体で且つ分割されずに構成されており、且つ、上記あぶみ状結合部材がこれら偏心ブッシュを取り外し可能に互いに結合していることによって解決される。
【０００９】
これによって、ただ僅かな外側寸法を有する、非常にコンパクトなロールスタンドが得られる。このことは、ロールの調節および保持のための装置が、基本的にわずか偏心ブッシュから成るという理由で達せられる。これら偏心ブッシュは、公知のチョックおよびこれらチョックの場合に必要なこれらチョックの調節および保持のための装置とは対照的に、非常に僅かのスペースを必要とし、従って、これら偏心ブッシュが完全にロールスタンドハウジング内に格納され、且つそれにもかかわらずこのロールスタンドハウジングは相対的に小さいままである。ロールスタンド枠組も、もはや必要ではない。チョックを保持するための旋回ボルトは、同様に必要としない。従って、この本発明によるロールスタンドは、半径方向並びに軸線方向において、公知の構造様式の場合のロールスタンドよりも基本的により小さい寸法を備える。それ故に、駆動ユニットは、圧延軸線に関して基本的により短い間隔の状態で設けられ、且つこのことは、公知のロールスタンドを有する圧延ラインよりもすべての方向において明確により小さい寸法を備え、且つ著しく僅かの場所しか必要としない圧延ラインを形成する。そのうえ、この新しいロールスタンドの場合、ロールスタンドの間隔を相互に小さく保持することが可能である。従って、圧延材の避けられない肉厚にされた端部は短く、且つ生産のクロップ割合が僅かである。
【００１０】
更に、本発明による構成によって、ロールスタンドの部品の数が著しく低減され、このことは、作業労力、および製造および組付けのためのコストを基本的に減少させる。このようなコストの安い且つそれにもかかわらず調節可能なロールを備えているロールスタンドの場合に、もはや公知の構造様式の場合と異なり、ロールスタンド設置場所の大多数のために多数の調節可能なロールを有するロールスタンドを設置することを必要とせず、むしろここでそれぞれのロールスタンド設置場所あるいは大多数のロールスタンド設置場所に、１つのこのようなロールスタンドを装着でき、且つその場合にこれらロールをより十分に利用することができる。
【００１１】
更に、新しいロールスタンドのコンパクトな構成によって大きな安定性が得られ、且つこのロールスタンドはこの状態において、特に高い圧延力を受容され得る。これら発生した力は、最も短い道程でロールスタンドハウジング内へと導かれ、且つ直接的にこのロールスタンドハウジングによって収容され、従って、特記すべき弾性的な変形が生じない。ロールの調節および保持のために必要とされる全ての部材は、ロールスタンドハウジングの内部に設けられ、且つそこで汚染から保護される。これら部材の磨耗は僅かであり、このことは、ロールの正確な調節をも永続的に保証する。
【００１２】
ロールの調節が、偏心ブッシュのねじりによって行われるので、調節装置のための費用、特にこの調節装置の部品の数は少なく保持される。無段階の調節によって、これらロールの回転軸線はその回転軸線の調節領域内で、圧延軸線に対してそれぞれ所望の且つ必要な間隔に調節され得ることが、保証される。これらロールの作業面を処理する際には、この調節可能な間隔のそれぞれが基礎となり、従って、これらロールを再加工する際の材料切削量を特にわずかに保持でき、およびこれらロールを最適に利用できる。その場合に、再加工されるこれらロールに所属する偏心ブッシュによって回転軸線は正確な位置に移動されることができ、その際、カリバー開口の直径が測定され、および調節される。このことは、常におよび特にロールスタンド調節作業所において可能である。何故ならば、これらロールがこれらロールの組込みの後に、既にそこで前もって決められた位置を占め、且つ維持されるからである。別個の駆動が行われるので、異なる理想的なロール直径でもって、即ち圧延軸線からのロールの回転軸線の異なる間隔でもってロールスタンドを使用できる。このことは、ロールの特に十分な利用を可能にし、且つ運転コストを減少させる。
【００１３】
これら偏心ブッシュ、ロールの個別駆動、およびこの個別駆動によって生み出されるかさ歯車の欠如は、ロールスタンドハウジング内において、半径方向に調節可能なロールの場合に、ロールスタンドハウジングの分割されない構成を可能にする。その際に、このロールスタンドハウジングは、著しく僅かの費用でもって形成可能である。何故ならば、ロールスタンドハウジングの両方の部材の、入念に且つ多数のステップにおいて処理されるべき、および外側に向かって封隙されるべき部材面、並びにこれら部材をぴったりと精確にばらばらにならないようにまとめねばならない取付けピンおよび結合ねじのための多数の穿孔とを、設けなくて済むからである。
【００１４】
本発明の有利な実施の形態の場合、ロールの両側に設けられた２つの偏心ブッシュをそれぞれ、ロールを取り囲むあぶみ状結合部材によって、回転不能に且つ間隔を保持するように、しかし取り外し可能に互いに結合されている。その場合に、ロール軸の、このロールの両側に存在するこれら両方の偏心ブッシュの内のただ１つの偏心ブッシュを直接的に軸線方向において、およびこの偏心ブッシュの回転位置に関して固定することのみで十分である。何故ならばその場合に、この他方の偏心ブッシュも、あぶみ状結合部材を介して軸線方向におよびこの偏心ブッシュの回転位置に保持されるからである。その場合に、ロールを調節する際、ただ両方の偏心ブッシュの１つの偏心ブッシュを回転する必要があるだけである。何故ならば、第２の偏心ブッシュは、あぶみ状結合部材を介して一緒に回転されるからである。
【００１５】
特に有利には、それぞれのロール軸の少なくとも１つの偏心ブッシュは、円錐歯車形の環状歯あるいはセグメント歯車を備えており、この環状歯あるいはセグメント歯車によって、この偏心ブッシュが、隣接するロール軸の他の偏心ブッシュの相応する環状歯あるいはセグメント歯車に、直接に係合の状態にある場合である。これによって、全てのロール軸の、従ってロールスタンドの全てのロールの、同期式の半径方向の調節が可能となる。そのときにそれにまた、あぶみ状結合部材を使用する場合、全ての偏心ブッシュをそれら偏心ブッシュの回転位置において同じ程度に調節するために、調節装置がただ１つの偏心ブッシュにのみ取付るだけで、十分である。その際に、２つの異なるロール軸の２つの隣接する偏心ブッシュが円錐歯車形の環状歯およびセグメント歯車を備えず、むしろ互いに半径方向の間隔を備えている場合は、望ましい。このことは、偏心ブッシュの組付けおよび最初の調節を容易にする。
【００１６】
本発明の合目的な実施の形態の場合、それぞれのロール軸が、２つの部分軸に分割され、且つそれぞれのロールが、両方の部分軸の、２つの互いに向けられた端面の間に、強固にしかしながら解離可能に挟み込まれている場合である。ロール軸の多部材より成る構成は、ロールの軸線方向の挟み込みを、２つの部分軸の互いに向けられた端面の間にその都度可能にする。従って、半径方向に突出た調整ばねおよび類似の部材によって、ロール軸上に且つロールの穿孔内におけるこれらロールとロール軸の間の強度の低下させた結合は回避される。しかしながら特に、ロール軸の多部材より成る構成は、迅速なロール交換を可能にする。この目的のために、両方の部分軸の間の軸線方向の張力は相殺され、これら部分軸が僅かに互いに離れるように移動され、且つこれらロールは半径方向にロールスタンドから取り出される。その後、他のロールは、半径方向においてロールスタンド内へと両方の部分軸の間に挿入、およびそこに固定緊張され得る。その際に、ロールスタンドハウジング及び／またはロールの支承部の費用のかかる取り外しは、行われない。このような迅速なロール交換は、他方また総じて僅かなロールスタンドで間に合わすことを可能にする。何故ならば、圧延ライン内に存在しないロールスタンドの際の新しく使用するための準備作業時間が、これらロールスタンドがその状態だけで再び使用することができることによって、使用状態にあるロールスタンドが交換されねばならない場合に非常に短くなるからである。従って、１つの圧延ラインにおいて、もはや新しいロールスタンドの２つのセットよりも多くは必要とされない。その上、この迅速な且つ簡単なロール交換は同様に、組込まれた状態におけるロールの再加工を、およびそのために必要とされる特別の機械装置を不必要にする。何故ならば、標準工作機械装置で再加工するためのこれらロールは、迅速に解体および組込みされるからである。
【００１７】
ロール軸の２つの部分から成る構成の際、部分軸の端面およびロールの端面が互いに相応する突出部および凹部を備え、これら突出部および凹部が形状的に嵌合している場合は、有利である。これら突出部および凹部は、上述の半径方向に突出た調整ばねおよび類似の部材によっては置換えされ得ない。何故ならば、これらここで意味している突出部および凹部が軸線方向に延在し、従って上記の強度低下させる作用を持たず、むしろロールとロール軸の間の相対的な運動無しに高回転トルクの動力伝達を許容するからである。
【００１８】
通常は、部分軸の互いに向けられた端面は、外側に存在する入力駆動機構とロールの間に設けられたロールスタンドハウジングの軸受穿孔よりも、より小さい直径を備えている。更に、ロールスタンドハウジングのそれぞれの軸受穿孔を、偏心ブッシュを収容するために、外側に存在する入力駆動機構からロールスタンドハウジングの内部に至るまで、このロールスタンドハウジングの前方に存在する軸受穿孔よりも徐々に小さくなるように、あるいは同等の大きさに寸法を設定することは、有利である。このように寸法を設定する際に、ロール軸の部分軸、これら部分軸の軸受および偏心ブッシュをロールスタンドハウジングの外側で互いに構成すること、および次いで入力駆動機構側からロールスタンドハウジング内へと挿入することは可能である。特に、ロールスタンドハウジングを分割されずに構成する場合、このように寸法を設定することは、ロールスタンドハウジング内に設けられる部材を減少させ、且つこれら部材の組付けを簡略化する。
【００１９】
本発明の他の構成において、調節装置はロールスタンドハウジングの前面に設けられており、且つこの調節装置が円錐歯車を備えており、この円錐歯車が偏心ブッシュの円錐歯車形の環状歯あるいはセグメント歯車に係合している。このような調節装置は、簡単に形成され、コストを安く生産可能であり、且つわずかな費用でもって組付けられる。
【００２０】
【発明の実施の形態】
本発明を、若干の実施例に基づいて図面において示す。図１において図示されたロールスタンド１は、ロールスタンドハウジング２を備え、このロールスタンドハウジング内に３つのロール３が放射状に設けられており、その際これらロールが圧延軸線４を囲繞している。ロール３のそれぞれは、１つの別個の入力駆動機構５を備え、この入力駆動機構に、図示されていない駆動ユニットからロール３のための駆動トルクが作用される。ロール軸７に回転不能に取付けられている連結半部分体６を経由して、この駆動トルクはロール３に伝達される。
【００２１】
これらロール軸７は、それぞれ２つの部分軸８、９から構成されている。これら部分軸８、９の互いに向けられた端面の間に、これらロール３は挟み込まれている。そのために必要な軸線方向の力は、通しボルト１０によって作用され、この通しボルトが端部１１によって部分軸９内へとねじ込まれており、且つこの通しボルトがこの通しボルトの他の端部に締付けナット１２を担持している。このように公知の機械的に、液圧あるいは空気圧で操作され得る締付けナット１２によって、この通しボルト１０は予張力される。その際に、この締付けナット１２は、部分軸８上に突っ張っている。ロール３の交換のために、締付けナット１２が取り外され、従って通しボルト１０が開放される。その場合に、この通しボルトの端部１１は、部分軸９からねじを緩めて抜くことが可能であり、且つこの通しボルト１０がロール３の領域から引き抜かれ、従って、両方の部分軸８、９が多少離れ離れに引き出された後に、このロールは交換され得る。他のロール３が部分軸８、９の端面の間に組込まれる場合、この通しボルト１０は、この通しボルトの端部１１によって再び部分軸９内へとねじ込まれ、その後、締付けナット１２を使って新たに予張力される。
【００２２】
両側で、ロール３はロール軸７によって玉軸受１３において回転自由に支承されている。その際に、これら玉軸受１３は、偏心ブッシュ１４および１５内にあり、これら偏心ブッシュのうち、この偏心ブッシュ１４がロール３の入力駆動機構側に設けられており、且つ２つの玉軸受１３を備え、それに対して偏心ブッシュ１５がロール３の他の側にただ１つの玉軸受１３を有し、この玉軸受内に短い部分軸９が支承されている。
【００２３】
水平方向に延在するロール軸７において、偏心ブッシュ１５は、円錐歯車形のセグメント歯車１６備えており、このセグメント歯車が隣接する偏心ブッシュ１４のセグメント歯車１６に係合している。水平状態に対して傾けられて延在する両方のロール軸７の偏心ブッシュ１５および１４に関しても、同様のことが言える。これら偏心ブッシュのセグメント歯車１６は、圧延軸線４の下方の位置に垂直方向に存在している。ただし、この水平方向のロール軸７の偏心ブッシュ１４は、セグメント歯車１６を備えず、且つ隣接する偏心ブッシュ１５のそのセグメント歯車に係合せず、むしろこれら偏心ブッシュ１４および１５は、互いに半径方向の間隔を保持している。
【００２４】
ロールスタンドハウジング２の前面に、回転可能に支承された軸１８および円錐歯車１９を有する調節装置１７が設けられている。この円錐歯車１９は、それら偏心ブッシュ１４の内の１つの偏心ブッシュのセグメント歯車２０に係合している。軸１８と回転不能に結合されている連結部片２１には、スパナが、軸１８および円錐歯車１９を、従って同様にセグメント歯車２０を介して所属する偏心ブッシュ１４を回転するために差込まれる。この偏心ブッシュ、また同様に全ての偏心ブッシュ１４は、ロール３を取り囲むあぶみ状結合部材２２を介して、所属する偏心ブッシュ１５と回転不能に且つ間隔を保持するようにしかし取り外し可能に結合されており、およびセグメント歯車１６が回転運動を全てのロール軸７の偏心ブッシュ１４、１５に伝達するので、全ての偏心ブッシュ１４、１５は、同期式に調節され、従ってロール３が半径方向に調節される。
【００２５】
図２は、調節装置１７が、連結部片２１および軸１８と回転不能に結合されている円板２３を備えていることを認識させる。この円板２３に、指針２５との協働でロール３の現下の半径方向の位置を表示する目盛り２４が設けられている。締付け装置２６は、円板２３、従って全ての偏心ブッシュ１４および１５、並びに半径方向へのロール３の固定を可能にする。更に図２は、連結半部分体６が有歯部２７を備えられていることを示しており、この有歯部に、図示されていない駆動ユニットの第２の連結半部分体が係合している。
【図面の簡単な説明】
【図１】  本発明によるロールスタンドを断面で示した図である。
【図２】  図１によるロールスタンドを側面で示した図である。
【符号の説明】
１    ロールスタンド
２    ロールスタンドハウジング
３    ロール
４    圧延軸線
５    入力駆動機構
６    連結半部分体
７    ロール軸
８    部分軸
９    部分軸
１０  通しボルト
１１  端部
１２  締付けナット
１３  玉軸受
１４  偏心ブッシュ
１５  偏心ブッシュ
１６  セグメント歯車
１７  調節装置
１８  軸
１９  円錐歯車
２０  セグメント歯車
２１  連結部片
２２  あぶみ状結合部材
２３  円板
２４  目盛り
２５  指針
２６  締付け装置
２７  有歯部
【図１】
0004718701.tif 000002
【図２】
0004718701.tif 000003